(57)【特許請求の範囲】
【請求項１】
昇降路と、前記昇降路に設けられた乗りかごと、釣り合いおもりと、前記乗りかご及び前記釣り合いおもりに接続された主ロープと、前記主ロープが巻きかけられたシーブを有する巻上機と、前記昇降路の垂直方向に延び、前記乗りかごの昇降を案内するガイドレールと、を有するエレベーター装置において、
長手部材であって前記ガイドレールに一端が固定され他端が前記昇降路の昇降路壁に向かうように設置されたブラケットと、前記ブラケットの前記他端に固定され前記ブラケットと直交し、保護線支持部を有する直交部材と、前記ブラケットの前記ガイドレール側の端部及び前記昇降路壁に固定され前記保護線支持部に支持された保護線と、を有することを特徴とするエレベーター装置。
【請求項２】
前記直交部材の前記保護線支持部と前記昇降路壁とを結ぶ部分の前記保護線は、前記ブラケットと平行であることを特徴とする請求項１記載のエレベーター装置。
【請求項３】
前記昇降路壁は、前記乗りかごに設けられたかごドアに対向する前側壁を有し、
前記保護線は、一端が前記ブラケットの前記ガイドレール側の端部に固定され、他端が前記前側壁に固定されていることを特徴とする請求項１又は２に記載のエレベーター装置。
【請求項４】
前記乗りかごは、前記かごドアの開閉方向に突出した突起部を有し、
前記保護線は、前記突起部を回避するよう引き回されていることを特徴とする請求項３記載のエレベーター装置。
【発明の詳細な説明】
【技術分野】
【０００１】
本発明は、エレベーター装置に関し、特に、昇降路内の長尺物の引掛りを防止することが可能なエレベーター装置に関する。
【背景技術】
【０００２】
エレベーターの昇降路内にあっては、複数のブラケットが昇降体を案内するガイドレールに取付けられていると共に、このブラケットに、位置検出スイッチ、インダクタープレート、制御ケーブル等の機器が設置されている。また、エレベーターには、乗りかご及び釣合おもりを吊持する主ロープ、乗りかごに設けられたケーブル（テールコード等）、及び調速機に備えられる調速機ロープ（ガバナーロープ）等の長尺物があり、地震等が発生した際、これらの長尺物に揺れが生じてブラケットに引掛り、機器や長尺物を損傷する恐れがある。この対策として、従来、長尺物の引掛りを防止するためにブラケットと昇降路壁との間に保護線を張っている。
【０００３】
また、エレベーターの長尺物引掛かり防止装置として、例えば特許文献１には、エレベーターの昇降路壁に連結される第１端と、昇降路壁から昇降路内に突出した機器取付腕に連結される第２端とを持ち、上記昇降路壁と上記機器取付腕との間をエレベーターの可動ケーブルに対して閉塞して上記可動ケーブルの上記機器取付腕への引掛りを防ぐエレベーターのケーブル引掛り防止装置において、上記第１端と上記第２端との間に互いにスライド式に摺動可能に嵌合した摺動嵌合部を持ち、上記第１端と上記第２端との間の距離が可変にされていることを特徴とするエレベーターのケーブル引掛り防止装置が開示されている。
【先行技術文献】
【特許文献】
【０００４】
【特許文献１】特開２０１１‐２６０２１号公報
【発明の概要】
【発明が解決しようとする課題】
【０００５】
しかしながら、前述したような従来技術では、ブラケット（取付腕）の延伸方向に乗りかごからの出入口機器等の突起物がある場合、保護線等をブラケットの延伸方向に張ることができず、突起物を避けるために斜めに（迂回して）張ることになる。この場合、この保護線等の張力によりブラケットにたわみが発生し、次のような問題があった。
【０００６】
ブラケットに取付ける機器の１つであるインダクタープレートは、乗りかごに取付けられた位置検出器がインダクタープレートを感知することで、乗りかごの位置を検出している。しかし、昇降路を上方から見た垂直投影において、インダクタープレート感知時の位置検出器とインダクタープレートの相対位置は決まっており、位置がずれると位置検出器はインダクタープレートを感知しない。また、インダクタープレートは、昇降路内に複数設置されており、全てのインダクタープレートを乗りかごに取付けられた位置検出器と同じ相対位置に設置しなければならない。よって、保護線等の張力によりブラケットにたわみが発生し、このブラケットに取付けたインダクタープレートの位置がずれる場合、全てのブラケットに同じたわみを発生させなければならないが、この作業は非常に困難である。
【０００７】
本発明は、前述した従来技術の実状からなされたもので、その目的は、ブラケットにたわみを極力発生させずに保護線を張ることができるエレベーター装置を提供することにある。
【課題を解決するための手段】
【０００８】
上記目的を達成するため、本発明は、昇降路と、前記昇降路に設けられた乗りかごと、釣り合いおもりと、前記乗りかご及び前記釣り合いおもりに接続された主ロープと、前記主ロープが巻きかけられたシーブを有する巻上機と、前記昇降路の垂直方向に延び、前記乗りかごの昇降を案内するガイドレールと、を有するエレベーター装置において、
長手部材であって前記ガイドレールに一端が固定され他端が前記昇降路の昇降路壁に向かうように設置されたブラケットと、前記ブラケットの前記他端に固定され前記ブラケットと直交し、保護線支持部を有する直交部材と、前記ブラケットの前記ガイドレール側の端部及び前記昇降路壁に固定され前記保護線支持部に支持された保護線と、を有することを特徴とするエレベーター装置を提供する。
【発明の効果】
【０００９】
本発明によれば、ブラケットにたわみを極力発生させずに保護線を張ることができるエレベーター装置を提供することができる。
【図面の簡単な説明】
【００１０】
【図１】本発明に係るエレベーター装置を模式的に示す図である。
【図２】本発明に係るエレベーター装置を模式的に示す上面図である。
【図３】図２の要部拡大上面図である。
【図４】従来の保護線取付け構造を模式的に示す上面図である。
【図５】乗りかごからの出入口機器等の突起物がある場合の従来の保護線取付け構造を模式的に示す上面図である。
【図６】乗りかごに出入口機器等の突起物がある場合の本発明に係る保護線取付け構造を模式的に示す上面図である。
【発明を実施するための形態】
【００１１】
以下、本発明の実施の形態を図面に示した実施例により説明する。
【実施例１】
【００１２】
図１は本発明に係るエレベーター装置を模式的に示す図であり、図２は本発明に係るエレベーター装置を模式的に示す上面図である。図１及び図２に示すように、本発明に係るエレベーター装置１００は、昇降路壁１（前側壁１ａ、横側壁１ｂ、後側壁１ｃ（図２））により囲まれて形成される昇降路２内に、乗客を乗せる乗りかご３と、主ロープ３１を介して乗りかご３と接続されたつり合いおもり４と、主ロープ３１が巻きかけられたシーブ（図示せず）を有する巻上機３２とを有する。さらに、昇降路２の昇降路壁１に設けたレール支持部材（図示せず）を介して昇降路２内に垂直方向に設置された左右一対のかご用ガイドレール（以下、ガイドレールとも称する）５と、昇降路壁１に設けたレール支持部材（図示せず）を介して昇降路２内に垂直方向に設置された左右一対のおもり用ガイドレール６とを備えている。乗りかご３は、かごドア３３を有し、かごドア３３は前側壁１ａに対向する。
【００１３】
そして、乗りかご３は、ガイドシュー（図示せず）を介してかご用ガイドレール５により案内されて上下方向に昇降移動すると共に、つり合いおもり４は、ガイドシュー（図示せず）を介しておもり用ガイドレール６により案内されて上下方向に昇降移動する。
【００１４】
かご用ガイドレール５には、ガイドレール５に直交するように、ブラケット７ａ及び７ｂが支持されており、このブラケット７ａ及び７ｂには、昇降路２内に設けられる塔内機器（例えば、インダクタープレート８、調速機ロープ振れ止め９、制御ケーブルサポート１０、金網１１、制御箱１２、及び位置検出スイッチ１３等（図２））が取付けられている。本実施例では、ブラケット７ａは、乗りかご３のかごドア３３方向に延長された前側ブラケットであり、ブラケット７ｂは、乗りかご３のかごドア３３と反対方向に延長された後側ブラケットである。
【００１５】
また、本実施例では長尺物として、主ロープ３１や、乗りかご３に設けられたテールコード１７やケーブル（図示せず）及び調速機ロープ（図示せず）が昇降路２内に設けられている。
【００１６】
さらに、昇降路壁１ａとブラケット７ａ及び昇降路壁１ｃとブラケット７ｂとの間には、ブラケット７ａ及び７ｂに長尺物が引っ掛ることを防止するためにそれぞれ保護線１４ａ及び１４ｂが設けられている。
【００１７】
図３は図２におけるエレベーター装置の要部拡大上面図である。前側ブラケット７ａの一端は、ガイドレール５に固定されており、他端（前側壁１ａ側の端部）は直交部材１５を有する。直交部材１５は、保護線支持部１８を有し、前側ブラケット７ａに直交するよう、横側壁１ｂに向かって延長された部材である。保護線１４ａの一端は、前側ブラケット１７ａの端部（ガイドレール５に固定されている側の端部）に固定され、前側壁１ａに向かって、前側ブラケット７ａの延伸方向に沿って引き回され、直交部材１５の保護線支持部１８に支持され（直交部材１５に係止され）前側壁１ａに固定される。
【００１８】
上記のように保護線１４ａを張ることで、ブラケット７ａに長尺物が引っ掛ることを防止することができる。すなわち、ブラケット７ａと昇降路壁１ａとの間から、長尺物がブラケット７ａに回り込むことを防ぐことができる。また、上記態様によれば、ブラケット７ａにたわみを極力発生させずに保護線１４ａを張ることができる。
【００１９】
ここで、従来の態様について説明する。図４は従来の保護線取付け構造を模式的に示す上面図である。図４に示すように、保護線１４ａの一端がブラケット７ａの端部（前側壁１ａ側）に固定され、他端が前側壁１ａに固定されている。すなわち、保護線１４ａは、ブラケット７ａから前側壁１ａに直接設けられている。
【００２０】
図５は乗りかご３に出入口機器等の突起物１６がある場合の従来の保護線取付け構造を模式的に示す上面図である。乗りかご３のかごドア付近には、出入口機器等の突起物１６がある。この場合、保護線１４ａは、この突起物１６を避けるように張られる。ブラケット７ａと保護線１４ａのなす角度θが、０°に近い角度で保護線１４ａを張れる場合は問題ない。しかし、図５のように、突起物１６がある場合、θを０°に近い角度で保護線１４ａを張ることはできず、θが大きくなると保護線１４ａの張力Ｔ１の分力Ｆ１により、ブラケット７ａにたわみが発生してしまう。
【００２１】
図６は乗りかご３に出入口機器１６等の突起物がある場合の本発明に係る保護線取付け構造を模式的に示す上面図である。本発明では、ブラケット７ａの端部に直交部材１５を設けることで、ブラケット７ａと保護線１４ａのなす角度θは０°に近い角度にすることができる。すなわち、ブラケット７ａと、保護線支持部１８から昇降路壁１ａの間の保護線１４ａとがほぼ平行となる。この結果、ブラケット７ａのたわみを低減することができ、インダクタープレートの検出精度の低下等を防止することができる。直交部材１５の長さを調節することにより、ブラケット７ａと、保護線支持部１８から昇降路壁１ａの間の保護線１４ａのなす角度θを適宜調整することができる。なお、この場合でも保護線１４ａの張力Ｔ２の分力Ｆ２により直交部材１５にたわみが発生し、ブラケット１７ａがわずかにたわむが、分力Ｆ２によるブラケット１７ａのたわみは上記Ｆ１と比較して無視できるほど小さいため、問題になることはない。
【００２２】
上述した実施例では、乗りかご３がかごドア３３側に突起物を有することが多い点を考慮して、前側ブラケット１７ａに直交部材１５を設けたが、直交部材１５を設ける位置に特に限定は無く、ブラケットから昇降路内の突起物を避けて昇降路壁へ保護線を張る必要がある場合に、どの位置のブラケットにも適用できることは言うまでもない。
【００２３】
以上、本発明によれば、ブラケットにたわみを極力発生させずに保護線を張ることができるエレベーター装置を提供することができることが示された。
【００２４】
なお、本発明は上記した実施例に限定されるものではなく、様々な変形例が含まれる。例えば、上記実施例は本発明を分かりやすく説明する為に詳細に説明したものであり、必ずしも説明したすべての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００２５】
１，１ａ，１ｂ，１ｃ…昇降路壁、２…昇降路、３…乗りかご、４…つり合いおもり、５…かご用ガイドレール、６…おもり用ガイドレール、７ａ，７ｂ…ブラケット、８…インダクタープレート、９…調速機ロープ振れ止め、１０…制御ケーブルサポート、１１…金網、１２…制御箱、１３…位置検出スイッチ１４ａ，１４ｂ，１４ｃ…保護線、１５…直交部材、１７…テールコード、１８…保護線支持部、３１…主ロープ、３２…巻上機、３３…かごドア、１００…エレベーター装置。
【図１】
0006263464.tif 000002
【図２】
0006263464.tif 000003
【図３】
0006263464.tif 000004
【図４】
0006263464.tif 000005
【図５】
0006263464.tif 000006
【図６】
0006263464.tif 000007